(57)【特許請求の範囲】
【請求項１】
レーザーダイオードの光出力を制御する方法において、
（ａ）マークの大きさに基づき記録光出力のレベルを変えて設定する段階と、
（ｂ）前記段階（ａ）でマークまたはスペース毎に設定された光出力レベルと反射される光出力レベルとの加減により入力データに対するレーザーダイオードの光出力を適応的に可変させる段階とを含み、
前記段階（ａ）の光出力のレベルは３Ｔ〜１４Ｔのマークの大きさによって一定の比率だけ増加させることを特徴とするレーザーダイオードの光出力を制御する方法。
【請求項２】
前記段階（ｂ）は自動レーザーダイオード出力制御により制御される記録出力レベルを基準として前記レーザーダイオードの光出力レベルを可変させることを特徴とする請求項１に記載のレーザーダイオードの光出力を制御する方法。
【請求項３】
レーザーダイオードの光出力を制御する装置において、
入力されるデータのマークの大きさを判別し、これによって光出力レベルを変えて設定する判別部と、
入力されるデータによって記録パルスの波形を制御して記録パルスを発生する発生部と、
前記判別部で設定された光出力レベルと反射される光信号レベルとの加減値を電流信号形態に変換して前記レーザーダイオードをマークの大きさに応じて可変的に駆動するレーザーダイオード駆動部とを含み、
前記判別部は３Ｔ〜１４Ｔに対する光出力レベルデータが相違に貯蔵されたテーブルを含むことを特徴とするレーザーダイオードの光出力を制御する装置。
【請求項４】
レーザーダイオード駆動部は、前記判別部から出力されるマークの大きさに該当する光出力レベルデータを反射される光信号レベルデータを基準として加減する加算部と、
前記加算部から出力されるデータをアナログ形態の制御電流信号に変換するデジタル-アナログ変換部とを有し、
前記レーザーダイオード駆動部は、デジタル-アナログ変換部から入力される制御電流信号によりレーザーダイオードを駆動することを特徴とする請求項３に記載のレーザーダイオードの光出力を制御する装置。
【発明の詳細な説明】
【０００１】
【発明の属する技術分野】
本発明は高密度光記録機器のための適応的な記録方法及びその装置に係り、特にレーザーダイオードの光出力を最適化するための適応的な記録方法及びその装置に関する。
【０００２】
【従来の技術】
マルチメディア時代は高容量の記録媒体を要し、このような高容量の記録媒体を使用する光記録装置としてはMODD(Magnetic Optical Disc Driver)及びDVD-RAM(Digital Versatile Disc Random Access Memory)駆動器がある。
【０００３】
このような光記録装置は記録密度が高まることによって最適のシステム状態が必要となり、精密性が要求される。一般に、記録容量が増加すれば半径方向チルトに対する記録パルスの時間軸方向の振れ(以下、ジッタ(jitter)と称する)が大きくなるために高密度記録を具現するにはこのようなジッタの最小化が求められる。
【０００４】
図１は従来の光記録装置を示すブロック図である。
まず、記録波形制御部１２０は入力されるNRZIデータによって記録波形を制御する。記録パルス発生部１４０は記録波形制御部１２０から発生する制御出力に応じて記録パルスを発生させ、レーザーダイオード駆動部１５０は記録パルス発生部１４０から発生する記録パルスのレベルによってレーザーダイオード１５２を駆動させる。また利得調整部１５８はディスク１５４からフォトダイオード１５６を通して入力される光信号の利得を調整する。比較部１６０は利得調整部１５８から出力される信号電圧と基準電圧とを比較し、カウンター１７０は比較部１６０の結果によってアップ/ダウンカウントされ、ＤＡＣ(Digital-Analog Converter)１８０はアップ/ダウンカウント値をアナログに変換してレーザーダイオード駆動部１５０に印加する。
【０００５】
図２Ａ乃至図２Ｅは図１の記録パルス発生部１４０から発生する記録パルスの構成を示す波形図である。
【０００６】
図２Ａに示されたような記録マークの長さが３Ｔ、５Ｔ、１１Ｔ等で構成された入力NRZI(Non Return to Zero Inversion)データに対して図２Ｅに示されたようにフォーマットブックに明示された状態で記録パルス(overwrite pulse)を構成して記録した。ここで、このNRZIデータはマークとスペースとに区分され、このスペース期間にはレーザーダイオードが消去光出力状態なので既存のデータを消去することになる。３Ｔ、４Ｔ、…、１４ＴのNRZIデータの記録マークは最初のパルス、最後のパルス及びクーリングパルス(cooling pulse)は変えず、マルチパルスの数のみ変化させて記録される。
【０００７】
即ち、再生光出力(図２Ｂ)、ピーク光出力(図２Ｃ、記録光出力とも称する)及びバイアス光出力(図２Ｄ、 消去光出力とも称する)の組合で図２Ｅに示された記録パルスの波形が構成される。
【０００８】
この記録パルス波形は第１世代、２.６GB DVD-RAM標準とも同一である。即ち、２.６ GB DVD-RAM標準によれば、記録パルスの波形は最初のパルス、マルチパルス列と最後のパルスからなり、基本的な記録パルスの最初のパルスの立上りエッジは記録マークの立上りエッジよりＴ／２だけ遅延された時点であり、この最初のパルスの立上りエッジは１ns単位で前後にシフトでき、最後のパルスも１ns単位で前後にシフトでき、マルチパルス列は多数個の短パルスに分割して記録マークの後部における熱の蓄積を減らして記録マークの変形を防止している。
【０００９】
このような記録パルスの構造では記録マークの以前のスペースと以後のスペースとは無関係に記録パルスの波形を作って使用している。
【００１０】
従って、図２Ｅに示されたような一定した光出力レベルで形成される記録パルスを構成して記録する時、記録マークの前部または後部で熱の蓄積が起こるので、また、前後スペースの大きさによって形成されるドメインの大きさが一定してないので、入力されるNRZIデータによってジッタが発生することになる。これはシステムの性能を低下させる最大の要因となり、今後の高密度DVD-RAM、例えば第２世代、即ち、４.７GB DVD-RAMでは使用しにくくなる問題点があった。
【００１１】
【発明が解決しようとする課題】
本発明が解決しようとする技術的課題は、高密度光記録機器において入力されるNRZIデータのマークの大きさによって適応的に記録パルスを構成して記録する方法を提供することである。
【００１２】
本発明が解決しようとする他の技術的課題は、高密度光記録機器において入力されるNRZIデータのマークの大きさによって適応的に記録パルスを構成して記録する装置を提供することである。
【００１３】
【課題を解決するための手段】
前記技術的課題を解決するために本発明は、記録パルスのための再生光出力、ピーク光出力及びバイアス光出力の各光出力を最適化してレーザーダイオードに供給する方法において、（ａ）入力されるNRZIデータのマークサイズを判別する段階と、（ｂ）前記判別されたマークの大きさに応じて前記記録パルスの光出力を可変させる段階とを含むことを特徴とする適応的な記録方法である。
【００１４】
前記他の技術的課題を解決するために本発明は、レーザーダイオードの光出力を制御する装置において、入力されるデータのマークの大きさを判別し、これによって光出力レベルを変えて設定する判別部と、入力されるデータによって記録パルスの波形を制御して記録パルスを発生する発生部と、前記判別部で設定された光出力レベルと反射される光信号レベルとの加減値を電流信号形態に変換して前記レーザーダイオードをマークのサイズに応じて可変的に駆動するレーザーダイオード駆動部とを含むことを特徴とする適応的な記録装置である。
【００１５】
【発明の実施の形態】
以下、添付された図面に基づき、本発明に係る高密度光記録機器のための適応的な記録方法及びその装置の望ましい実施例を説明する。
【００１６】
図３は本発明の高密度光記録機器のための適応的な記録装置の一実施例に係るブロック図であり、図３の装置はデータ判別部３１０、記録波形制御部３２０、マイクロコンピュータ３３０、記録パルス発生部３４０、レーザーダイオード駆動部３５０、レーザーダイオード３５２、ディスク３５４、フォトダイオード３５６、利得調整部３５８、比較部３６０、カウンター３７０、加算部３８０、ＤＡＣ３９０で構成され、ここでレーザーダイオード駆動部３５０、レーザーダイオード３５２、ディスク３５４、フォトダイオード３５６、利得調整部３５８、比較部３６０、カウンター３７０、加算部３８０、ＤＡＣ３９０は反射された光信号と関連してALPC(auto laser-diode power control)を行う。
【００１７】
図４Ａ乃至図４Ｆは図３に示された適応的な記録装置により記録される適応的な記録パルスの波形図であり、図４ＡはNRZIデータ波形、図４Ｂは再生光出力を、図４Ｃはピーク光出力(または記録光出力)を、図４Ｄはバイアス光出力(または消去光出力)を、図４Ｅは記録パルスの波形を、図４Ｆは本発明によって記録光出力(１)、(２)、(３)が追加された新たな記録パルスの波形を各々示す。
【００１８】
次いで、図３に示された装置の動作を説明する。
図３において、データ判別部３１０はマークの大きさＴまたはスペースの前後関係による３Ｔ、４Ｔ、…、１４Ｔに対する最適光出力レベルデータがマーク毎に相違に貯蔵されたテーブルを含み、マークとスペースとに区分されるNRZIデータを入力してマークの大きさＴを判別し、それによる光出力レベルデータを加算部３８０に出力する。ここで、テーブルにはマークの大きさとスペースの大きさに該当する最適の光出力レベルデータを選定して２進データとして貯蔵される。マイコン３３０はデータ判別部３１０のテーブルにマークの大きさによって最適化された光出力レベルデータの初期値を設定したり、記録波形制御部３２０を初期化させる。また、マイコン３３０はデータ判別部３１０の判別条件及びテーブル値を初期化するだけでなく最適のレベルデータでアップデートすることもできる。記録波形制御部３２０はデータ判別部３１０から入力される図４ＡのようなNRZIデータによって記録波形制御信号、即ち図４Ｂの再生光出力、Ｃのピーク光出力、Ｄのバイアス光出力を出力する。
【００１９】
記録パルス発生部３４０は記録波形制御部３２０から印加される記録パルス波形を制御するパルス幅データによって図４Ｅのような記録パルスを発生させ、この記録パルスに対する各チャンネル(再生、ピーク、バイアス）の電流の流れを制御する制御信号をレーザーダイオード駆動部３５０に印加する。
【００２０】
レーザーダイオード駆動部３５０は入力される各チャンネル(再生、ピーク、バイアス)の光出力の駆動レベルを各チャンネル電流の流れを制御する制御信号に該当する制御時間だけ電流に変換してレーザーダイオード３５２を駆動させる。レーザーダイオード３５２はディスク３５４に光を入射する。同時にディスク３５４から反射された光信号は受光素子のフォトダイオードによって受光される。利得調整部３５８はフォトダイオード３５６によって受光された光信号の電圧レベルを調整し、比較部３６０はこの電圧レベルと基準電圧レベルとを比較する。ここで、基準電圧レベルは動作モード、即ち、再生、消去、記録モードによって可変される。カウンター３７０は比較部３６０で比較された光信号レベルが基準レベルより大きいとダウンカウントし、光信号レベルが基準レベルより小さいとアップカウントする。
【００２１】
加算部３８０はデータ判別部３１０から入力される光出力レベルデータとカウンター３７０から発生される反射光に対する光出力レベルに相当するカウント値を加減して該当マークに対する光出力レベルデータを出力する。ＤＡＣ３９０は加算部３８０から出力される光出力レベルデータをレーザーダイオードを駆動するための電流レベルに変換する。この電流レベルがレーザーダイオード駆動電流に該当され、レーザーダイオード駆動部３５０に印加される。ここで、レーザーダイオード駆動部３５０、レーザーダイオード３５２、ディスク３５４、フォトダイオード３５６、利得調整部３５８、比較部３６０、カウンター３７０、加算部３８０、ＤＡＣ３９０はループが形成されてALPC(auto laser-diode power control)が行われる。
【００２２】
従って、レーザーダイオード駆動部３５０に印加される最終記録波形は図４Ｆに示されたようにマークのＴにより記録光出力のレベルが適応的に可変される。図４Ｆの(１)は３Ｔにおける光出力レベルで、(２)は５Ｔにおける光出力レベルであり、(３)は１１Ｔにおける光出力レベルである。ここで、図４Ｆのy軸は光出力mWで、x軸は時間tであり、例えば(１)の波形は１０mW、(２)の波形は１１mW、(３)の波形は１２mWに設定されうる。図４Ｆにおいて各マークの大きさ、例えば３Ｔ、５Ｔ、１１Ｔに応じて記録光出力レベルに一定の大きさだけ差がある。即ち、３Ｔでは１０mW、５Ｔでは１１mW、１１Ｔでは１２mWの光出力を発生する。
【００２３】
また、図４Ｆの(１)、(２)、(３)の何れか１つのレベルまたは任意のレベルを自動レーザーダイオード出力制御(ALPC)の基準制御レベルとして設定した場合、入力されるNRZIデータによって基準制御レベルで光出力レベルを低めたり、高めることでレーザーダイオードの光出力レベルを適応的に可変させる。
【００２４】
本発明は前述した実施例に限定されず、本発明の思想内で当業者による変形が可能なのは勿論である。即ち、本発明で提案された新たな適応的な記録パルス波形により大部の高密度光記録機器で使用できる。
【００２５】
産業上の利用分野
前述したように本発明によれば、入力されるNRZIデータのマークの大きさＴによって記録パルス波形の出力レベルを可変させてドメインの大きさを一定にしてジッタを最小化し、システムの信頼性及び性能を向上させうる。
【図面の簡単な説明】
【図１】  従来の光記録装置を示すブロック図である。
【図２】  図２Ａ乃至図２Ｅは図１の記録パルス発生部から発生する記録パルスの構成を示す波形図である。
【図３】  本発明の高密度光記録機器のための適応的な記録装置の一実施例に係るブロック図である。
【図４】  図４Ａ乃至図４Ｆは図３に示された適応的な記録装置により記録される適応的な記録パルスの波形図である。
【符号の説明】
３１０  データ判別部
３２０  記録波形制御部
３３０  マイクロコンピュータ
３４０  記録パルス発生部
３５０  レーザーダイオード駆動部
３５２  レーザーダイオード
３５４  ディスク
３５６  フォトダイオード
３５８  利得調整部
３６０  比較部
３７０  カウンタ
３８０  加算部
３９０  ＤＡＣ
【図１】
0003784256.tif 000002
【図２】
0003784256.tif 000003
【図３】
0003784256.tif 000004
【図４】
0003784256.tif 000005